(57)【要約】【課題】  色補正精度の低下を抑制しつつ、ルックアップテーブルを構成するメモリ容量を削減する。【解決手段】  ３次元ルックアップテーブルは、補正値として、ｊビット（ｊは２以上の整数）の前記輝度信号の階調と、ｋビット（ｋは２以上の整数）の前記第１の色差信号の階調と、ｌビット（ｌは２以上の整数）の前記第２の色差信号の階調とで特定される（２ｊ×２ｋ×２ｌ）通りの組合せのうち、上位ｍビット（ｍは１以上の整数）の前記輝度信号によって表される階調と、上位ｎビット（ｎはｍより大きい整数）の第１の色差信号によって表される階調と、上位ｏビット（ｏはｍより大きい整数）の前記第２の色差信号によって表される階調とで特定される（２ｍ×２ｎ×２ｏ）通りの組合せにそれぞれ対応する補正値を記憶する。【選択図】        図２
2005249820.tif 000002
【特許請求の範囲】
【請求項１】
画像表示装置において表示される画像の色を補正する色補正回路であって、
３次元ルックアップテーブルを含み、入力される輝度信号、第１の色差信号、および、第２の色差信号の階調の組合せに応じて、前記３次元ルックアップテーブルに記憶されている補正値を用いて、前記輝度信号、第１の色差信号、および、第２の色差信号の階調を補正する色補正回路部を、備えており、
前記３次元ルックアップテーブルは、前記補正値として、ｊビット（ｊは２以上の整数）の前記輝度信号の階調と、ｋビット（ｋは２以上の整数）の前記第１の色差信号の階調と、ｌビット（ｌは２以上の整数）の前記第２の色差信号の階調とで特定される（２ｊ×２ｋ×２ｌ）通りの組合せのうち、上位ｍビット（ｍは１以上の整数）の前記輝度信号によって表される階調と、上位ｎビット（ｎはｍより大きい整数）の第１の色差信号によって表される階調と、上位ｏビット（ｏはｍより大きい整数）の前記第２の色差信号によって表される階調とで特定される（２ｍ×２ｎ×２ｏ）通りの組合せにそれぞれ対応する補正値を記憶することを特徴とする色補正回路。
【請求項２】
請求項１記載の色補正回路において、
前記色補正回路部で補正された後の前記輝度信号、前記第１の色差信号、および、前記第２の色差信号を、赤色に対応する赤色信号、緑色に対応する緑色信号、および、青色に対応する青色信号に変換する第１の色変換回路部、
を備える色補正回路。
【請求項３】
請求項２記載の色補正回路において、
画像信号として入力される赤色信号、緑色信号、および、青色信号を、前記色補正回路部に入力される前記輝度信号、前記第１の色差信号、および、前記第２の色差信号に変換する第２の色変換回路部、
を備える色補正回路。
【請求項４】
請求項１ないし請求項３のいずれかに記載の色補正回路において、
前記３次元ルックアップテーブルは、前記補正値として、前記輝度信号、前記第１の色差信号、および、前記第２の色差信号に、それぞれ付加すべき輝度信号オフセット値、第１の色差信号オフセット値、および、第２の色差信号オフセット値を記憶しており、
前記色補正回路部は、前記輝度信号オフセット値、前記第１の色差信号オフセット値、および、前記第２の色差信号オフセット値を、それぞれ対応する前記輝度信号、前記第１の色差信号、および、前記第２の色差信号に加算する３つの加算回路、
を備える色補正回路。
【請求項５】
請求項１ないし請求項４のいずれかに記載の色補正回路を備えたことを特徴とする画像表示装置。
【発明の詳細な説明】
【技術分野】
【０００１】
本発明は、液晶プロジェクタなどの画像表示装置に関し、特に、表示画像の色を補正するための技術に関するものである。
【背景技術】
【０００２】
画像表示装置の１つである液晶プロジェクタは、例えば、３板式の場合、表示デバイスとして、Ｒ（赤），Ｇ（緑），Ｂ（青）にそれぞれ対応する３つの液晶パネルを有している。このような液晶プロジェクタでは、照明光学系から射出された照明光をＲ，Ｇ，Ｂの各色光に分離した後、それぞれ、対応する色の液晶パネルに入射させる。そして、画像信号であるＲ，Ｇ，Ｂ信号を、それぞれ、対応する色の液晶パネルに入力して、その信号に応じて、その液晶パネルを駆動して、入射された色光を透過させる。このようにして３つの液晶パネルから得られたＲ，Ｇ，Ｂの透過光（色光）を混合した後、投写光学系によって、スクリーンに投写することにより、スクリーン上にＲ，Ｇ，Ｂ信号に応じたカラー画像を表示する。
【０００３】
このような液晶プロジェクタに用いられる液晶パネルは、入力される信号の階調が変化すると、透過光の波長特性が変化するという性質を有している。
【０００４】
例えば、Ｒ用の液晶パネルにおいては、入力されるＲ信号の階調が変化すると、それに伴って、その液晶パネルを透過したＲの色光の波長特性が変化して、そのＲの透過光の色がマゼンタ色に寄ったり、オレンジ色に寄ったりしてしまう。つまり、本来、Ｒ信号の階調変化によっては、変化してはならないＲの透過光の色度座標が、階調変化によって、変化してしまう。
【０００５】
このことは、Ｇ用，Ｂ用の液晶パネルにおいて、入力されるＧ信号，Ｂ信号の階調が変化したときも同様である。
【０００６】
以上のように、Ｒ，Ｇ，Ｂ信号の階調変化によってＲ，Ｇ，Ｂの透過光の色度座標が変化してしまうと、Ｒ，Ｇ，Ｂ信号に応じた画像の正確な色再現ができなくなってしまうという問題がある。
【０００７】
そこで、従来から、Ｒ，Ｇ，Ｂ信号に応じた画像の正確な色再現を行うために、３次元ルックアップテーブル（以下、「３Ｄ−ＬＵＴ」とも呼ぶ。）による色補正回路を用いて、Ｒ，Ｇ，Ｂ信号の階調変化に応じて、表示デバイスから射出される色光の色を補正することが考えられている（例えば、特許文献１〜４参照。）。
【０００８】
【特許文献１】特開平２００２−４１０１６号公報
【特許文献２】特開平２００２−１４００６０号公報
【特許文献３】特開平２００２−３４４７６１号公報
【特許文献４】特開平２００３−２７１１２２号公報
【発明の開示】
【発明が解決しようとする課題】
【０００９】
ここで、Ｒ，Ｇ，Ｂ信号は、通常、８ビット以上の階調データ、すなわち、２５６階調以上の階調値で表現される。従って、Ｒ，Ｇ，Ｂ信号の階調変化に応じて、表示デバイスから射出される色光の色を補正するためには、３Ｄ−ＬＵＴには、Ｒ，Ｇ，Ｂ信号の階調の全ての組合せに対応して、（２５６×２５６×２５６）以上の補正値を記憶することが要求される。従って、３Ｄ−ＬＵＴによる色補正回路を構成するためには、非常に大きなメモリ容量が必要となり、現状の回路技術において非常に大規模な回路構成となってしまう。
【００１０】
そこで、３Ｄ−ＬＵＴを実際に構成する場合には、入力されるＲ，Ｇ，Ｂ信号の階調の全ての組合せではなく、Ｒ，Ｇ，Ｂ信号それぞれの階調を適当な間隔で分割した粗い階調の組合せに対して、それぞれの、対応する補正値を記憶する構成とし、必要なメモリ容量を削減することとしている。
【００１１】
しかしながら、３Ｄ−ＬＵＴを構成するメモリ容量を小さくすればするほど、Ｒ，Ｇ，Ｂ信号の階調を分割する間隔を大きくしなければならないため、Ｒ，Ｇ，Ｂ信号の階調の組合せで特定される補正値、すなわち、３Ｄ−ＬＵＴに記憶可能な補正値の数が減少することになるので、きめ細かい色補正が困難となり、結果として色補正の精度が低下するという問題がある。
【００１２】
従って、本発明の目的は、上記従来技術の問題点を解決し、色補正精度の低下を抑制しつつ、ルックアップテーブルを構成するメモリ容量を削減することが可能な技術を提供することにある。
【課題を解決するための手段】
【００１３】
上記した目的の少なくとも一部を達成するために、本発明の色補正回路は、画像表示装置において表示される画像の色を補正する色補正回路であって、
３次元ルックアップテーブルを含み、入力される輝度信号、第１の色差信号、および、第２の色差信号の階調の組合せに応じて、前記３次元ルックアップテーブルに記憶されている補正値を用いて、前記輝度信号、第１の色差信号、および、第２の色差信号の階調を補正する色補正回路部を、備えており、
前記３次元ルックアップテーブルは、前記補正値として、ｊビット（ｊは２以上の整数）の前記輝度信号の階調と、ｋビット（ｋは２以上の整数）の前記第１の色差信号の階調と、ｌビット（ｌは２以上の整数）の前記第２の色差信号の階調とで特定される（２ｊ×２ｋ×２ｌ）通りの組合せのうち、上位ｍビット（ｍは１以上の整数）の前記輝度信号によって表される階調と、上位ｎビット（ｎはｍより大きい整数）の第１の色差信号によって表される階調と、上位ｏビット（ｏはｍより大きい整数）の前記第２の色差信号によって表される階調とで特定される（２ｍ×２ｎ×２ｏ）通りの組合せにそれぞれ対応する補正値を記憶することを特徴とする。
【００１４】
本発明の色補正回路では、３次元ルックアップテーブルを、ｊビットの輝度信号の階調と、ｋビットの第１の色差信号の階調と、ｌビットの第２の色差信号の階調とで特定される（２ｊ×２ｋ×２ｌ）通りの組合せのうち、上位ｍビットの輝度信号によって表される階調と、上位ｎビットの第１の色差信号によって表される階調と、上位ｏビットの第２の色差信号によって表される階調とで特定される（２ｍ×２ｎ×２ｏ）通りの組合せにそれぞれ対応する補正値を記憶する構成としているので、補正値を特定するための輝度信号の階調数を第１の色差信号の階調数および第２の色差信号の階調数に比べて小さくすることができる。
【００１５】
これにより、本発明の色補正回路によれば、色補正精度の低下を抑制しつつ、３次元ルックアップテーブルを構成するために必要となるメモリ容量を削減することが可能である。
【００１６】
本発明の色補正回路において、
前記色補正回路部で補正された後の前記輝度信号、前記第１の色差信号、および、前記第２の色差信号を、赤色に対応する赤色信号、緑色に対応する緑色信号、および、青色に対応する青色信号に変換する第１の色変換回路部、
を備えることが好ましい。
【００１７】
このように、本発明の色補正回路によれば、色補正回路部で補正された後の輝度信号、第１の色差信号、および、第２の色差信号を、赤色に対応する赤色信号、緑色に対応する緑色信号、および、青色に対応する青色信号に変換して出力することができるので、例えば、画像表示装置を構成する表示デバイスに入力される信号が、赤色信号、緑色信号、および青色信号である場合に、都合がよい。
【００１８】
また、本発明の色補正回路において、
画像信号として入力される赤色信号、緑色信号、および、青色信号を、前記色補正回路部に入力される前記輝度信号、前記第１の色差信号、および、前記第２の色差信号に変換する第２の色変換回路部、
を備えることが好ましい。
【００１９】
このように、本発明の色補正回路によれば、画像信号として入力される赤色信号、緑色信号、および、青色信号を、前記色補正回路部に入力される前記輝度信号、前記第１の色差信号、および、前記第２の色差信号に変換することができるので、例えば、画像信号として赤色信号、緑色信号、および、青色信号が入力される場合に都合がよい。
【００２０】
さらに、本発明の色補正回路において、
前記３次元ルックアップテーブルは、前記補正値として、前記輝度信号、前記第１の色差信号、および、前記第２の色差信号に、それぞれ付加すべき輝度信号オフセット値、第１の色差信号オフセット値、および、第２の色差信号オフセット値を記憶しており、
前記色補正回路部は、前記輝度信号オフセット値、前記第１の色差信号オフセット値、および、前記第２の色差信号オフセット値を、それぞれ対応する前記輝度信号、前記第１の色差信号、および、前記第２の色差信号に加算する３つの加算回路、
を備えることが好ましい。
【００２１】
このように、３次元ルックアップテーブルを、補正値として、輝度信号、第１の色差信号、および、第２の色差信号に、それぞれ付加すべき輝度信号オフセット値、第１の色差信号オフセット値、および、第２の色差信号オフセット値を記憶する構成とすれば、３次元ルックアップテーブルを構成するために必要なメモリ容量をさらに削減することが可能である。
【００２２】
なお、本発明は、上記した色補正回路としての態様に限るものではなく、それを備えた画像表示装置としての態様で実現することも可能である。
【発明を実施するための最良の形態】
【００２３】
以下、本発明の実施の形態を実施例に基づいて以下の順序で説明する。
Ａ．液晶プロジェクタの概略構成：
Ｂ．色補正回路：
Ｃ．変形例：
【００２４】
Ａ．液晶プロジェクタの概略構成：
図１は本発明の色補正回路が適用される液晶プロジェクタの概略的な構成を示すブロック図である。図１に示す液晶プロジェクタ５００は、いわゆる３板式であって、表示デバイスとして、Ｒ（赤），Ｇ（緑），Ｂ（青）にそれぞれ対応する３つの液晶パネル（以下、「ＬＣＤ」とも呼ぶ。）４１０〜４３０を有している。その他、液晶プロジェクタ５００は、入力信号処理回路２００と、本発明の色補正回路１００と、Ｒ，Ｇ，Ｂ用のＶＴ特性補正回路３１０〜３３０と、を備えている。
【００２５】
外部から画像信号としてＲ，Ｇ，Ｂ信号Ｒ１，Ｇ１，Ｂ１が入力されると、入力信号処理回路２００は、これらの信号がアナログ信号である場合には、アナログ／デジタル変換を行ったり、これらの信号の信号形式に応じて、フレームレート変換やリサイズ処理を行ったり、或いは、メニュー表示を行う場合は、メニュー画面を重畳したりする。なお、入力された画像信号がコンポジット信号である場合には、そのコンポジット信号を復調すると共に、Ｒ，Ｇ，Ｂ信号および同期信号に分離する処理などを行う。
【００２６】
次に、色補正回路１００は、入力信号処理回路２００から出力されたデジタルのＲ，Ｇ，Ｂ信号Ｒ２，Ｇ２，Ｂ２に対して補正を施すことにより、液晶パネル４１０〜４３０から射出し、混合して得られる透過光（色光）の色を補正する。
【００２７】
続いて、Ｒ，Ｇ，Ｂ用のＶＴ特性補正回路３１０〜３３０は、それぞれ、色補正回路１００から出力されたＲ，Ｇ，Ｂ信号Ｒ３，Ｇ３，Ｂ３に対して、Ｒ，Ｇ，Ｂ用の液晶パネル４１０〜４３０のＶＴ特性（電圧−透過率特性）を考慮したγ補正を施す。なお、Ｒ，Ｇ，Ｂ用のＶＴ特性補正回路３１０〜３３０は、通常、１次元ルックアップテーブル（以下、１Ｄ−ＬＵＴとも呼ぶ。）により構成される。
【００２８】
一方、Ｒ，Ｇ，Ｂ用の液晶パネル４１０〜４３０は、ＶＴ特性補正回路３１０〜３３０から出力されたＲ，Ｇ，Ｂ信号Ｒ４，Ｇ４，Ｂ４を入力し、それら信号に基づいて、Ｒ，Ｇ，Ｂの透過光（色光）を射出する。具体的には、照明光学系（図示せず）から射出された照明光をＲ，Ｇ，Ｂの色光に分離した後、それぞれ、対応する色の液晶パネル４１０〜４３０に入射させると共に、ＶＴ特性補正回路３１０〜３３０からのＲ，Ｇ，Ｂ信号Ｒ４，Ｇ４，Ｂ４も、それぞれ、対応する色の液晶パネル４１０〜４３０に入力させる。そして、入力した色信号に応じて、その液晶パネルを駆動して、入射した色光を透過させる。
【００２９】
このようにしてＲ，Ｇ，Ｂ用の液晶パネル４１０〜４３０から射出したＲ，Ｇ，Ｂの透過光（色光）は、混合された後、投写光学系（図示せず）によって、スクリーン（図示せず）に投写され、スクリーン上にＲ，Ｇ，Ｂ信号に応じたカラー画像が表示される。
【００３０】
Ｂ．色補正回路：
図２は、色補正回路を示すブロック図である。この色補正回路１００は、図２に示すように、ＹＵＶ変換回路部１１０と、色補正回路部１２０と、ＲＧＢ変換回路部１５０と、を備えている。
【００３１】
ＹＵＶ変換回路部１１０は、Ｒ，Ｇ，Ｂ信号を、輝度（Ｙ）を表す輝度信号（Ｙ信号）と、Ｂ信号からＹ信号を差し引いた色差（Ｕ）を表す第１の色差信号（Ｕ信号）と、Ｒ信号からＹ信号を差し引いた色差（Ｖ）を表す第２の色差信号（Ｖ信号）とに変換するための一般的なマトリクス回路により構成される。そして、ＹＵＶ変換回路部１１０は、入力されるｌビット（ｌは２以上の整数）のＲ，Ｇ，Ｂ信号Ｒ１，Ｇ１，Ｂ１をｌビットのＹ，Ｕ，Ｖ信号Ｙ１，Ｕ１，Ｖ１に変換する。なお、ビット数ｌは、通常、ｌ≧８である。
【００３２】
色補正回路部１２０は、３Ｄ−ＬＵＴ１３０と、Ｙ，Ｕ，Ｖ用の加算回路１４１〜１４３とを備えている。
【００３３】
３Ｄ−ＬＵＴ１３０は、上位ｍビット（ｍは１以上の整数）のＹ信号と、上位ｎビット（ｎはｍより大きい整数）のＵ信号と、上位ｎビットのＶ信号との組合せにそれぞれ対応する補正値として、ｌビットのＹ信号オフセット値ｄｙと、ｌビットのＵ信号オフセット値ｄｕと、ｌビットのＶ信号オフセット値ｄｖとを記憶し、入力されるＹ，Ｕ，Ｖ信号Ｙ１，Ｕ１，Ｖ１の階調の組合せに応じて、（３×ｌ）ビットの補正値を出力するメモリ回路である。なお、このようなメモリ回路は、（ｍ＋ｎ＋ｎ）ビットのアドレスを有するＲＡＭを用いて、（ｍ＋ｎ＋ｎ）ビットのアドレスを、上位ビットから順に、上位ｍビットのＹ信号、上位ｎビットのＵ信号、上位ｎビットのＶ信号に割り当てるとともに、（３×ｌ）ビットの出力を、例えば、上位ビットからｌビットごとに、Ｙ信号オフセット値ｄｙ、Ｕ信号オフセット値ｄｕ、および、Ｖ信号オフセット値ｄｖの出力に割り当てることにより、実現できる。なお、オフセット値ｄｙ，ｄｕ，ｄｖとしては、正の値も、負の値も取り得る。また、各オフセット値は、通常、非常に小さい値であるので、ｌビットよりも小さいビット数のオフセット値が出力されるようにしてもよい。
【００３４】
Ｙ，Ｕ，Ｖ用の加算回路１４１〜１４３は、それぞれ、３Ｄ−ＬＵＴ１３０から出力されたオフセット値ｄｙ，ｄｕ，ｄｖを、それぞれ、対応するＹ，Ｕ，Ｖ信号Ｙ１，Ｕ１，Ｖ１に加算して、補正後のＹ，Ｕ，Ｖ信号Ｙ２，Ｕ２，Ｖ２を生成する。
【００３５】
以上のように、色補正回路部１２０は、ＹＵＶ変換回路部１１０から出力されたＹ，Ｕ，Ｖ信号Ｙ１，Ｕ１，Ｖ１を、Ｙ，Ｕ，Ｖ信号Ｙ１，Ｕ１，Ｖ１の階調の組合せに応じて補正して、補正後のＹ，Ｕ，Ｖ信号Ｙ２，Ｕ２，Ｖ２を出力する。
【００３６】
ＲＧＢ変換回路部１５０は、Ｙ，Ｕ，Ｖ信号を、Ｒ，Ｇ，Ｂ信号に変換するための一般的なマトリクス回路により構成される。そして、ＲＧＢ変換回路部１５０は、色補正回路部１２０から出力されたＹ，Ｕ，Ｖ信号Ｙ２，Ｕ２，Ｖ２を、Ｒ，Ｇ，Ｂ信号Ｒ３，Ｇ３，Ｂ３に戻す。
【００３７】
以上のように、色補正回路１００は、入力信号処理回路２００から出力されたＲ，Ｇ，Ｂ信号Ｒ２，Ｇ２，Ｂ２に対して補正を施し、液晶パネル４１０〜４３０から射出し、混合して得られる透過光（色光）の色を補正する。
【００３８】
ここで、上記色補正回路１００は、以下で説明するように、色補正回路部１２０を構成する３Ｄ−ＬＵＴ１３０の構成に特徴を有している。
【００３９】
第１に、Ｒ，Ｇ，Ｂ信号の階調の組合せでなく、Ｙ，Ｕ，Ｖ信号の階調の組合せにそれぞれ対応する補正値を記憶する構成である点に特徴を有している。
【００４０】
第２に、ｌビットのＹ信号の階調と、ｌビットのＵ信号の階調と、ｌビットのＶ信号の階調とで特定される（２ｌ×２ｌ×２ｌ）通りの組合せのうち、上位ｍビットのＹ信号によって表される階調と、上位ｎビットのＵ信号によって表される階調と、上位ｎビットのＶ信号によって表される階調とで特定される（２ｍ×２ｎ×２ｎ）通りの組合せにそれぞれ対応する補正値を記憶する構成としている点に特徴を有している。
【００４１】
Ｙ，Ｕ，Ｖ信号のうち、Ｙ信号はいわゆる明るさを示す信号である。Ｕ信号はＢ信号からＹ信号を差し引いた第１の色差信号（Ｂ−Ｙ信号）であり、いわゆる青っぽさを示す信号である。Ｖ信号はＲ信号からＹ信号を差し引いた第２の色差信号（Ｒ−Ｙ信号）であり、いわゆる赤っぽさを示す信号である。このため、Ｕ信号およびＶ信号の階調変化が、液晶パネル４１０〜４３０から射出される透過光の色の変化に与える影響は比較的大きいが、Ｙ信号の階調変化が、液晶パネル４１０〜４３０から射出される透過光の色の変化に与える影響は比較的小さいと言える。
【００４２】
そこで、３Ｄ−ＬＵＴ１３０は、上述したように、入力されるＹ信号の階調数を２ｍ個とし、Ｕ信号およびＶ信号の階調数をそれぞれ２ｎ個（ｎ＞ｍ）として、Ｙ信号の階調数をＵ信号およびＶ信号の階調数に比べて小さくすることより、３Ｄ―ＬＵＴを構成するためのメモリ容量を減らす構成としている。
【００４３】
例えば、仮に、Ｒ，Ｇ，Ｂ信号の階調の組合せにそれぞれ対応する補正値を記憶する構成である３Ｄ−ＬＵＴ（以下、単に「ＲＧＢ形式の３Ｄ−ＬＵＴ」とも呼ぶ。）において、３Ｄ−ＬＵＴに入力されるＲ，Ｇ，Ｂ信号の上位ビット数ｐを、ｐ＝４とすると、Ｒ，Ｇ，Ｂ信号の階調の組合せ数Ｋｒｇｂは、
Ｋｒｇｂ＝２４×２４×２４＝１６３＝４０９６
となる。
【００４４】
一方、実施例の３Ｄ−ＬＵＴ１３０においては、入力されるＵ信号およびＶ信号の上位ビット数ｎを、上記Ｒ，Ｇ，Ｂ信号の上位ビット数ｐと同じｎ＝４とし、Ｙ信号の上位ビット数ｍをＲ，Ｇ，Ｂ信号の上位ビット数ｐよりも小さいｍ＝２とすると、Ｙ，Ｕ，Ｖ信号の階調の組合せ数Ｋｙｕｖは、
Ｋｙｕｖ＝２２×２４×２４＝４×１６×１６＝１０２４
となり、Ｙ，Ｕ，Ｖ信号の階調の組合せ数Ｋｙｕｖを、Ｒ，Ｇ，Ｂ信号の階調の組合せ数Ｋｒｇｂの１／４の大きさとすることができる。
【００４５】
従って、実施例の３Ｄ−ＬＵＴ１３０を、Ｙ，Ｕ，Ｖ信号の階調の組合せでそれぞれ対応する補正値を記憶する３Ｄ−ＬＵＴ（以下、単に「ＹＵＶ形式の３Ｄ−ＬＵＴ」とも呼ぶ。）とするとともに、入力されるＹ信号の上位ビット数を、他のＵ，Ｖ信号の上位ビット数より小さくすれば、ＲＧＢ形式の３Ｄ−ＬＵＴに比べて、３Ｄ−ＬＵＴを構成するためのメモリ容量を小さくすることが可能である。また、色変化への影響が大きいＵ，Ｖ信号の階調数を、従来のＲＧＢ形式の３Ｄ−ＬＵＴに入力されるＲ，Ｇ，Ｂ信号の階調数と同じとすることができるので、色補正精度の低下も抑制することができる。
【００４６】
逆に、実施例の３Ｄ−ＬＵＴ１３０をＹＵＶ形式の３Ｄ−ＬＵＴとし、Ｙ，Ｕ，Ｖ信号の階調の組合せ数Ｋｙｕｖを、ＲＧＢ形式の３Ｄ−ＬＵＴにおけるＲ，Ｇ，Ｂ信号の階調の組合せ数Ｋｒｇｂと同じ大きさまで許容すると仮定すれば、入力されるＹ信号の上位ビット数を小さくすることにより、Ｕ信号およびＶ信号の上位ビット数を、ＲＧＢ信号形式の３Ｄ−ＬＵＴにおけるＲ，Ｇ，Ｂ信号のビット数よりも大きくすることが可能である。
【００４７】
例えば、Ｙ信号の上位ビット数ｍをｍ＝２とし、Ｕ信号およびＶ信号の上位ビット数ｎをｎ＝５とすると、Ｙ，Ｕ，Ｖ信号の階調の組合せ数Ｋｙｕｖは、
Ｋｙｕｖ＝２２×２５×２５＝４×３２×３２＝４０９６
で、ＲＧＢ形式形式の３Ｄ−ＬＵＴにおいて、入力されるＲ，Ｇ，Ｂ信号の上位ビット数ｐをｐ＝１６とした場合の組合せ数Ｋｒｇｂと同じとすることができる。
【００４８】
従って、実施例の３Ｄ−ＬＵＴ１３０をＹＵＶ形式の３Ｄ−ＬＵＴとし、ＲＧＢ形式の３Ｄ−ＬＵＴにおいて入力されるＲ，Ｇ，Ｂ信号の上位ビット数ｐよりも、入力されるＹ信号の上位ビット数を小さくすることにより、３Ｄ−ＬＵＴを構成するためのメモリ容量をＲＧＢ形式の３Ｄ−ＬＵＴと同等のままで、ＲＧＢ形式の３Ｄ−ＬＵＴにおいて入力されるＲ，Ｇ，Ｂ信号の上位ビット数よりも、入力されるＵ信号およびＶ信号の上位ビット数を大きくすることが可能であり、結果として、色補正精度を向上させることが可能である。
【００４９】
Ｃ．変形例：
なお、本発明は上記した実施例や実施形態に限られるものではなく、その要旨を逸脱しない範囲において種々の態様にて実施することが可能である。
【００５０】
Ｃ１．変形例１：
上記実施例において、３Ｄ−ＬＵＴ１３０は、Ｙ，Ｕ，Ｖ信号の階調の組合せに応じた補正値として、それぞれに対応するオフセット値ｄｙ，ｄｕ，ｄｖを記憶する構成を例に説明している。しかしながら、これに限定されるものではなく、色補正回路部１２０の加算回路１４１〜１４３から出力されるＹ，Ｕ，Ｖ信号Ｙ２，Ｕ２，Ｖ２に相当する補正値を記憶する構成としてもよい。この構成の場合には、加算回路１４１〜１４３は不要である。ただし、オフセット値ｄｙ，ｄｕ，ｄｖは、Ｙ，Ｕ，Ｖ信号Ｙ２，Ｕ２，Ｖ２の階調値よりも小さな値であるのが一般的であるので、実施例のように、オフセット値ｄｙ，ｄｕ，ｄｖを記憶する構成のほうが、Ｙ，Ｕ，Ｖ信号Ｙ２，Ｕ２，Ｖ２に相当する補正値を記憶する構成よりも３Ｄ−ＬＵＴを構成するメモリ容量を小さくすることが可能である。
【００５１】
Ｃ２．変形例２：
上記実施例においては、色補正回路１００にＲ，Ｇ，Ｂ信号をＹ，Ｕ，Ｖ信号に変換するＹＵＶ変換回路部１１０と、Ｙ，Ｕ，Ｖ信号をＲ，Ｇ，Ｂ信号に変換するＲＧＢ変換回路部１５０と、を備える構成を説明しているが、これに限定されるものではない。例えば、液晶プロジェクタ５００に入力される画像信号がＹ，Ｕ，Ｖ信号の形式である場合には、入力信号処理回路２００から出力される画像信号をＹ，Ｕ，Ｖ信号とすれば、必ずしもＹＵＶ変換回路部１１０を備える必要はない。また、Ｒ，Ｇ，Ｂ用の液晶パネル４１０〜４３０が、Ｙ，Ｕ，Ｖ信号を入力可能な構成であるならば、必ずしもＲＧＢ変換回路部１５０を備える必要もない。
【００５２】
Ｃ３．変形例３：
上記実施例において、色補正回路部１２０は、入力されるｌビットのＹ，Ｕ，Ｖ信号のうち、上位ｍビットのＹ信号により表される階調と、上位ｎビットのＵ信号により表される階調と、上位ｎビットのＶ信号により表される階調とで特定される組合せにそれぞれ対応する補正値を３Ｄ−ＬＵＴ１３０で求めて、それぞれ対応するＹ，Ｕ，Ｖ信号に加算する構成としており、３Ｄ−ＬＵＴ１３０では、（ｌ−ｍ）ビットのＹ信号により表される階調と、（ｌ−ｎ）ビットのＵ信号により表される階調と、（ｌ−ｎ）ビットのＶ信号により表される階調とが無視される構成を例に説明しているが、これに限定されるものではない。例えば、３Ｄ−ＬＵＴ１３０と加算回路１４１〜１４３との間に、補間回路を備えて、（ｌ−ｍ）ビットのＹ信号により表される階調と、（ｌ−ｎ）ビットのＵ信号により表される階調と、（ｌ−ｎ）ビットのＶ信号により表される階調とに応じた補正値を、３Ｄ−ＬＵＴ１３０から求められる補正値に基づいて補間するようにしてもよい。
【００５３】
Ｃ４．変形例４：
上記実施例では、ＹＵＶ変換回路部１１０は、ｌビットのＲ，Ｇ，Ｂ信号をｌビットのＹ，Ｕ，Ｖ信号に変換する場合を例に説明しているが、Ｒ，Ｇ，Ｂ信号とは異なったビット数のＹ，Ｕ，Ｖ信号に変換するようにしてもよい。また、それぞれ異なったビット数のＹ，Ｕ，Ｖ信号に変換するようにしてもよい。
【００５４】
また、上記実施例では、３Ｄ−ＬＵＴ１３０に入力するＵ，Ｖ信号を上位ｎビットとしているが、それぞれ異なったビット数としてもよい。３Ｄ−ＬＵＴ１３０から出力される補正値ｄｙ，ｄｕ，ｄｖも、同じビット数ではなく、それぞれ異なったビット数としてもよい。
【００５５】
さらに、上記実施例では、色補正回路部１２０は、ｌビットのＹ，Ｕ，Ｖ信号を出力し、ＲＧＢ変換回路部１５０は、ｌビットのＹ，Ｕ，Ｖ信号をｌビットのＲ，Ｇ，Ｂ信号に変換する場合を例に説明しているが、これに限定されるものではない。色補正回路部１２０は、それぞれ異なったビット数のＹ，Ｕ，Ｖ信号を出力し、ＲＧＢ変換回路部１５０はそれぞれ異なったビット数のＹ，Ｕ，Ｖ信号を、同じビット数のＲ，Ｇ，Ｂ信号に変換するようにしてもよい。
【００５６】
また、上記実施例では、ＲＧＢ変換回路部１５０は、ｌビットのＹ，Ｕ，Ｖ信号をｌビットのＲ，Ｇ，Ｂ信号に変換する場合を例に説明しているが、Ｙ，Ｕ，Ｖ信号とは異なったビット数のＲ，Ｇ，Ｂ信号に変換するようにしてもよい。
【００５７】
要するに、３Ｄ―ＬＵＴ１３０に入力されるＹ信号の上位ビット数がＵ信号およびＶ信号の上位ビット数よりも小さいとする条件以外には、上記実施例に限定されるものではなく、各信号のビット数をどのような構成としてもよい。
【００５８】
Ｃ５．変形例５：
上記実施例および各変形例において、Ｙ，Ｕ，Ｖ信号で表される画像信号を色補正回路部に入力する場合を例に説明しているが、これに限定されるものではなく、Ｙ，Ｕ，Ｖ信号と同種の輝度信号および２つの色差信号で表される種々の画像信号、例えば、Ｙ，Ｃｂ，Ｃｒ信号やＹ，Ｐｂ，Ｐｒ信号などを色補正回路部に入力する場合にも適用可能である。また、明度信号と、彩度信号と、色相信号とで表される画像信号を色補正回路部に入力する場合にも適用可能である。
【００５９】
Ｃ６．変形例６：
上記実施例では、本発明の色補正回路が適用される液晶プロジェクタを例に説明しているが、これに限定されるものではなく、種々の画像表示装置においても適用することが可能である。
【図面の簡単な説明】
【００６０】
【図１】本発明の色補正回路が適用される液晶プロジェクタの概略的な構成を示すブロック図である。
【図２】色補正回路を示すブロック図である。
【符号の説明】
【００６１】
５００...液晶プロジェクタ
１００...色補正回路
１１０...ＹＵＶ変換回路部
１２０...色補正回路部
１３０...３次元ルックアップテーブル（３Ｄ−ＬＵＴ）
１４１〜１４３...加算回路
１５０...ＲＧＢ変換回路部
２００...入力信号処理回路
３１０〜３３０...ＶＴ特性補正回路
４１０〜４３０...液晶パネル（ＬＣＤ）
【図１】
2005249820.tif 000003
【図２】
2005249820.tif 000004
【手続補正書】
【提出日】平成17年3月9日(2005.3.9)
【手続補正１】
【補正対象書類名】明細書
【補正対象項目名】０００８
【補正方法】変更
【補正の内容】
【０００８】
【特許文献１】特開２００２−４１０１６号公報
【特許文献２】特開２００２−１４００６０号公報
【特許文献３】特開２００２−３４４７６１号公報
【特許文献４】特開２００３−２７１１２２号公報